(57)【要約】      （修正有）【課題】画像処理装置の調整パラメーターの値を高精度に決定することが可能な情報処理装置及び情報処理方法を提供すること。【解決手段】情報処理装置１において、記憶部１３には、画像処理装置の調整パラメーターの値と前記画像処理装置の生産時の一又は複数の生産条件とが対応付けられた調整情報２０が複数記憶されている。選択処理部１４１は、調整対象の画像処理装置の生産時の生産条件と調整対象の調整パラメーターとに応じて一又は複数の調整情報２０を選択する。決定処理部１４２は、選択処理部１４１によって選択された調整情報２０に基づいて前記調整対象の画像処理装置の前記調整対象の調整パラメーターの値を決定する。【選択図】図１
2018036826.tif 000002
【特許請求の範囲】
【請求項１】
画像処理装置の調整パラメーターの値と前記画像処理装置の生産時の一又は複数の生産条件とが対応付けられた調整情報が複数記憶された調整情報記憶部と、
調整対象の画像処理装置の生産時の生産条件と調整対象の調整パラメーターとに応じて一又は複数の前記調整情報を選択する選択処理部と、
前記選択処理部によって選択された前記調整情報に基づいて前記調整対象の画像処理装置の前記調整対象の調整パラメーターの値を決定する決定処理部と、
を備える情報処理装置。
【請求項２】
前記複数の調整情報に基づいて、前記調整対象の調整パラメーターと相関性がある生産条件を抽出する抽出処理部を更に備え、
前記選択処理部は、前記抽出処理部によって抽出された生産条件が、前記調整対象の画像処理装置の生産時の生産条件と同一又は前記生産条件との差異が予め設定された範囲内である一又は複数の前記調整情報を選択する、
請求項１に記載の情報処理装置。
【請求項３】
前記生産条件は、前記画像処理装置の生産時の部品の種類を含み、
前記抽出処理部は、前記調整対象の調整パラメーターと相関性がある部品を抽出し、
前記選択処理部は、前記抽出処理部によって抽出された部品の種類が、前記調整対象の画像処理装置の生産時の部品の種類と同一である一又は複数の前記調整情報を選択する、
請求項２に記載の情報処理装置。
【請求項４】
前記抽出処理部による抽出結果を学習情報として保存する学習処理部を更に備える、
請求項２又は請求項３に記載の情報処理装置。
【請求項５】
前記決定処理部は、前記選択処理部によって選択された前記調整情報における前記調整対象の調整パラメーターの値の代表値を、前記調整対象の調整パラメーターの値として決定する、
請求項１〜４のいずれかに記載の情報処理装置。
【請求項６】
前記代表値が平均値である、
請求項５に記載の情報処理装置。
【請求項７】
画像処理装置の調整パラメーターの値と前記画像処理装置の生産時の一又は複数の生産条件とが対応付けられた調整情報が複数記憶された調整情報記憶部から前記調整情報を読み出す読出ステップと、
調整対象の画像処理装置の生産時の生産条件と調整対象の調整パラメーターとに応じて一又は複数の前記調整情報を選択する選択ステップと、
前記選択ステップにおいて選択された前記調整情報に基づいて前記調整対象の画像処理装置の前記調整対象の調整パラメーターの値を決定する決定ステップと、
を含む情報処理方法。
【発明の詳細な説明】
【技術分野】
【０００１】
本発明は、画像処理装置の調整パラメーターの値を決定する情報処理装置及び情報処理方法に関する。
【背景技術】
【０００２】
画像処理装置を工場で生産する際には、出荷時の品質を規格内に収めるために各種の調整作業が実施される。例えば、印字位置は画像処理装置の個体差によるばらつきが発生し易い調整項目であるため、通常は、生産される各画像処理装置について個別に印字位置の調整が行われる。
【０００３】
なお、画像処理装置の製造時に、用紙排出部から排出される用紙の画像を所定のタイミングで撮影し、画像を解析することで印字位置の調整を行う調整値設定装置が知られている（例えば、特許文献１参照）。
【先行技術文献】
【特許文献】
【０００４】
【特許文献１】特開２０１５−１１４５６４号公報
【発明の概要】
【発明が解決しようとする課題】
【０００５】
しかしながら、前記調整値設定装置によって前記画像を解析することによって算出される調整値は、画像処理装置を構成する部品、材料、調整に用いる用紙の品質、調整実施場所の温湿度等の種々の生産条件の影響により、理想的な調整値からずれてしまうことがある。その結果、調整値の再入力が必要になり、調整作業の効率が低下してしまう。
【０００６】
なお、画像処理装置の調整作業の効率を向上させるために、過去に調整された複数の画像処理装置の調整パラメーターの値の平均値を、調整対象の画像処理装置の調整パラメーターの値として使用することが考えられる。しかしながら、画像処理装置の生産条件は変化し得るので、過去に調整された複数の画像処理装置の調整パラメーターの値を単に平均化するだけでは精度の高い値が得られない。
【０００７】
本発明の目的は、画像処理装置の調整パラメーターの値を高精度に決定することが可能な情報処理装置及び情報処理方法を提供することにある。
【課題を解決するための手段】
【０００８】
本発明の一の局面に係る情報処理装置は、調整情報記憶部と、選択処理部と、決定処理部と、を備える。前記調整情報記憶部には、画像処理装置の調整パラメーターの値と前記画像処理装置の生産時の一又は複数の生産条件とが対応付けられた調整情報が複数記憶されている。前記選択処理部は、調整対象の画像処理装置の生産時の生産条件と調整対象の調整パラメーターとに応じて一又は複数の前記調整情報を選択する。前記決定処理部は、前記選択処理部によって選択された前記調整情報に基づいて前記調整対象の画像処理装置の前記調整対象の調整パラメーターの値を決定する。
【０００９】
本発明の他の局面に係る情報処理方法は、読出ステップと、選択ステップと、決定ステップと、を含む。前記読出ステップでは、画像処理装置の調整パラメーターの値と前記画像処理装置の生産時の一又は複数の生産条件とが対応付けられた調整情報が複数記憶された調整情報記憶部から前記調整情報が読み出される。前記選択ステップでは、調整対象の画像処理装置の生産時の生産条件と調整対象の調整パラメーターとに応じて一又は複数の前記調整情報が選択される。前記決定ステップでは、前記選択ステップにおいて選択された前記調整情報に基づいて前記調整対象の画像処理装置の前記調整対象の調整パラメーターの値が決定される。
【発明の効果】
【００１０】
本発明によれば、画像処理装置の調整パラメーターの値を高精度に決定することが可能な情報処理装置及び情報処理方法が提供される。
【図面の簡単な説明】
【００１１】
【図１】図１は、本発明の実施形態に係る情報処理装置のシステム構成を示すブロック図である。
【図２】図２は、本発明の実施形態に係る情報処理装置で用いられる調整情報の一例を示す図である。
【図３】図３は、本発明の実施形態に係る情報処理装置で実行される調整値決定処理の手順の一例を示すフローチャートである。
【図４】図４は、本発明の実施形態に係る情報処理装置で用いられる入力画面の一例を示す図である。
【図５】図５は、本発明の実施形態に係る情報処理装置で用いられる結果表示画面の一例を示す図である。
【図６】図６は、本発明の実施形態に係る情報処理装置で用いられる学習情報の一例を示す図である。
【図７】図７は、本発明の実施形態に係る情報処理装置で用いられる調整情報の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
図１に示すように、本発明の実施形態に係る情報処理装置１は、操作部１１、表示部１２、記憶部１３、及び制御部１４を備える。情報処理装置１は、例えば、デスクトップパソコン又はノートパソコンのようなコンピューターである。
【００１４】
操作部１１は、ユーザー操作を受け付けるための入力装置であって、例えば、キーボード、タッチパッド、タッチパネルなどの入力装置である。
【００１５】
表示部１２は、例えば、液晶ディスプレーである。
【００１６】
記憶部１３は、例えば、ハードディスクのような不揮発性の記憶装置である。記憶部１３には、制御部１４によって実行される各種の制御プログラム、及び、後述する調整情報２０（図２参照）のような各種のデータが記憶される。
【００１７】
制御部１４は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
具体的に、制御部１４は、選択処理部１４１、決定処理部１４２、抽出処理部１４３、及び学習処理部１４４を含む。なお、制御部１４は、前記制御プログラムに従って各種の処理を実行することにより、これらの各処理部として機能する。また、制御部１４は、これらの各処理部の一部又は複数の機能を実現する電子回路を備えるものであってもよい。
【００１９】
記憶部１３には、画像処理装置の調整パラメーターの値と前記画像処理装置の生産時の一又は複数の生産条件とが対応付けられた調整情報２０が複数記憶されている。記憶部１３は、本発明の「調整情報記憶部」の一例である。なお、前記画像処理装置は、例えば、コピー機、プリンター、スキャナー、ファクシミリ装置、これらの機能を有する複合機などである。
【００２０】
図２は、記憶部１３に記憶されている調整情報２０の一例を示している。図２の例では、調整情報２０ａ〜２０ｐの１６個の調整情報２０が記憶されている。
【００２１】
調整情報２０では、過去に調整された画像処理装置の調整パラメーターの値と、当該画像処理装置の生産時の生産条件とが対応付けられている。図２に示す例では、各調整情報２０において、「ＴＯＰ」及び「ＬＥＦＴ」の２つの調整パラメーターの値と、「給紙コロの種類」及び「搬送ガイドの種類」の２つの生産条件とが対応付けられている。なお、「ＴＯＰ」の調整パラメーターは、画像処理装置における用紙搬送方向（副走査方向）の印字位置を調整するためのパラメーターであり、「ＬＥＦＴ」の調整パラメーターは、画像処理装置における用紙幅方向（主走査方向）の印字位置を調整するためのパラメーターである。
【００２２】
例えば、図２に示す調整情報２０ａは、或る画像処理装置（仮に、「画像処理装置Ａ」と称する）の生産時の「給紙コロの種類」及び「搬送ガイドの種類」がそれぞれ「給紙コロＡ」及び「搬送ガイドＡ」であり、画像処理装置Ａに対する調整作業の結果、「ＴＯＰ」及び「ＬＥＦＴ」の調整パラメーターに「１．０１」及び「１．００」の値が設定されたことを示している。また、調整情報２０ｅは、或る画像処理装置（仮に、「画像処理装置Ｅ」と称する）の生産時の「給紙コロの種類」及び「搬送ガイドの種類」がそれぞれ「給紙コロＢ」及び「搬送ガイドＢ」であり、画像処理装置Ｅに対する調整作業の結果、「ＴＯＰ」及び「ＬＥＦＴ」の調整パラメーターに「１．２０」及び「０．５２」の値が設定されたことを示している。
【００２３】
調整情報２０は、図示しない通信Ｉ／Ｆを通じて他の情報処理装置から取得されてもよいし、操作部１１を通じて調整パラメーターの値と生産条件とが入力されることによって生成されてもよい。例えば、或る画像処理装置に対する調整作業が完了する度に、新たな調整情報２０が随時生成されてもよい。
【００２４】
ところで、画像処理装置を工場で生産する際には、出荷時の品質を規格内に収めるために各種の調整作業が実施される。例えば、印字位置は画像処理装置の個体差によるばらつきが発生し易い調整項目であるため、通常は、生産される各画像処理装置について個別に印字位置の調整が行われる。
【００２５】
なお、画像処理装置の製造時に、用紙排出部から排出される用紙の画像を所定のタイミングで撮影し、画像を解析することで印字位置の調整を行う調整値設定装置が知られている。しかしながら、前記調整値設定装置によって前記画像を解析することによって算出される調整値は、画像処理装置を構成する部品、材料、調整に用いる用紙の品質、調整実施場所の温湿度等の種々の生産条件の影響により、理想的な調整値からずれてしまうことがある。その結果、調整値の再入力が必要になり、調整作業の効率が低下してしまう。
【００２６】
なお、画像処理装置の調整作業の効率を向上させるために、過去に調整された複数の画像処理装置の調整パラメーターの値の平均値を、調整対象の画像処理装置（以下、「調整対象装置」と称す）の調整パラメーターの値として使用することが考えられる。しかしながら、画像処理装置の生産条件は変化し得るので、過去に調整された複数の画像処理装置の調整パラメーターの値を単に平均化するだけでは精度の高い値が得られない。これに対して、本実施形態に係る情報処理装置１によれば、以下で説明するようにして調整対象装置の調整パラメーターの値が決定されるので、調整対象装置の調整パラメーターの値を高精度に決定することが可能である。
【００２７】
選択処理部１４１は、調整対象装置の生産時の生産条件と、調整対象の調整パラメーター（以下、「調整対象パラメーター」と称す）とに応じて、一又は複数の調整情報２０を選択する。選択処理部１４１における調整情報２０の選択方法の詳細については後述する。
【００２８】
決定処理部１４２は、選択処理部１４１によって選択された調整情報２０に基づいて、前記調整対象パラメーターの値を決定する。例えば、決定処理部１４２は、選択処理部１４１によって選択された調整情報２０における前記調整対象パラメーターの値の代表値（例えば、平均値又は最頻値）を、前記調整対象装置の前記調整対象パラメーターの値として決定する。
【００２９】
抽出処理部１４３は、記憶部１３に記憶されている複数の調整情報２０に基づいて、前記調整対象パラメーターと相関性がある生産条件を抽出する。例えば、前記調整対象パラメーターが「ＴＯＰ」である場合には、抽出処理部１４３は、図２に示す調整情報２０ａ〜２０ｐに基づいて、調整情報２０に含まれている一又は複数の生産条件の中から、「ＴＯＰ」の調整パラメーターと相関性がある生産条件として「給紙コロの種類」の生産条件が選択される。また、前記調整対象パラメーターが「ＬＥＦＴ」である場合には、「ＬＥＦＴ」の調整パラメーターと相関性がある生産条件として「搬送ガイドの種類」の生産条件が選択される。
【００３０】
選択処理部１４１は、抽出処理部１４３によって抽出された生産条件が、前記調整対象装置の生産時の生産条件と同一又は前記生産条件との差異が予め設定された範囲内である一又は複数の調整情報２０を選択する。
【００３１】
なお、図２に示すように、生産条件が画像処理装置の生産時の部品の種類である場合には、抽出処理部１４３は、前記調整対象パラメーターと相関性がある部品を抽出する。そして、選択処理部１４１は、抽出処理部１４３によって抽出された部品の種類が、前記調整対象装置の生産時の部品の種類と同一である一又は複数の前記調整情報を選択する。
【００３２】
学習処理部１４４は、抽出処理部１４３による抽出結果を学習情報５０（図６参照）として記憶部１３等に保存する。抽出処理部１４３は、学習処理部１４４によって保存された学習情報５０が存在する場合には、当該学習情報５０に基づいて、前記調整対象パラメーターと相関性がある生産条件を抽出することができる。
【００３３】
次に、図３を参照しつつ、制御部１４によって実行される調整値決定処理の手順の一例について説明する。ここで、ステップＳ１，Ｓ２，・・・は、制御部１４により実行される処理手順（ステップ）の番号を表している。なお、前記調整値決定処理は、例えば、操作部１１を通じて前記調整値決定処理の実行開始操作が行われたことに応じて開始される。
【００３４】
＜ステップＳ１＞
まず、ステップＳ１（本発明の「読出ステップ」の一例）において、制御部１４は、記憶部１３に記憶されている調整情報２０を読み出す。なお、調整情報２０が他の情報処理装置に記憶されている場合には、制御部１４は、図示しない通信Ｉ／Ｆを通じて前記他の情報処理装置から調整情報２０を取得する。
【００３５】
＜ステップＳ２＞
ステップＳ２において、制御部１４は、調整対象装置の生産時の生産条件を設定する。具体的には、制御部１４は、例えば図４に示すような入力画面３０を表示部１２に表示する。入力画面３０には、調整情報２０に含まれている各生産条件に対応する入力欄３１，３２が含まれている。ユーザーは、操作部１１を通じて、前記調整対象装置の給紙コロの種類を入力欄３１に入力するとともに、前記調整対象装置の搬送ガイドの種類を入力欄３２に入力する。その後、ユーザーが「ＯＫ」のボタン３３を選択すると、制御部１４は、入力欄３１，３２に入力された内容に応じて、調整対象装置の生産時の生産条件を設定する。
【００３６】
＜ステップＳ３＞
ステップＳ３において、制御部１４は、調整情報２０に含まれている複数の調整パラメーターのうちの１つの調整パラメーターを、調整対象パラメーターとして選択する。なお、本実施形態では、調整情報２０に含まれている複数の調整パラメーターが調整対象パラメーターとして１つずつ順番に自動的に選択される。そして、ステップＳ４〜Ｓ６の処理が調整パラメーターごとに実行される。ただし、本発明はこれに限定されず、例えば、調整情報２０に含まれている複数の調整パラメーターの中からユーザーによって指定された調整パラメーターが、調整対象パラメーターとして選択されてもよい。
【００３７】
＜ステップＳ４＞
ステップＳ４において、制御部１４は、調整情報２０に基づいて、ステップＳ３で選択された前記調整対象パラメーターと相関性がある生産条件を抽出する。
【００３８】
例えば、図２において、調整情報２０ａ〜２０ｄのグループと調整情報２０ｅ〜２０ｈのグループとを比較すると、「給紙コロの種類」と「搬送ガイドの種類」の両方が変化すると、「ＴＯＰ」と「ＬＥＦＴ」の両方の調整パラメーターの値が統計的に有意に変化することが分かる。また、例えば、調整情報２０ｅ〜２０ｈのグループと調整情報２０ｉ〜２０ｌのグループとを比較すると、「給紙コロの種類」だけが変化すると、「ＴＯＰ」の調整パラメーターの値だけが統計的に有意に変化することが分かる。さらに、例えば、調整情報２０ｉ〜２０ｌのグループと調整情報２０ｍ〜２０ｐのグループとを比較すると、「搬送ガイドの種類」だけが変化すると、「ＬＥＦＴ」の調整パラメーターの値だけが統計的に有意に変化することが分かる。
【００３９】
制御部１４は、例えば上記のような分析を行うことによって、「ＴＯＰ」の調整パラメーターと相関性がある生産条件は「給紙コロの種類」であると判定することができる。また、制御部１４は、「ＬＥＦＴ」の調整パラメーターと相関性がある生産条件は「搬送ガイドの種類」であると判定することができる。
【００４０】
なお、前記調整対象パラメーターと相関性がある生産条件を抽出する方法としては、上記のような分析方法に限定されない。例えば、制御部１４は、前記調整対象パラメーターと各生産条件との相関係数を算出することによって、前記調整対象パラメーターと相関性がある生産条件を抽出してもよい。
【００４１】
なお、前記ステップＳ４における抽出結果（分析結果）は、例えば、図６に示すような学習情報５０として記憶部１３等に記録されてもよい。そうすれば、前記調整値決定処理が再度実行されたときに、学習情報５０を参照することによって、前記ステップＳ４の処理を短縮化又は省略することができる。
【００４２】
＜ステップＳ５＞
ステップＳ５において、制御部１４は、前記ステップＳ４で抽出された生産条件が、前記調整対象装置の生産条件と同一であるような調整情報２０を選択する。
【００４３】
例えば、前記ステップＳ３で選択された調整対象パラメーターが「ＴＯＰ」である場合には、前記ステップＳ４において、前記調整対象パラメーターに相関性がある印刷条件として、「給紙コロの種類」が抽出されることになる。すると、ステップＳ５では、「給紙コロの種類」が前記調整対象装置の生産条件と同一であるような調整情報２０が選択される。例えば、前記調整対象装置の「給紙コロの種類」が図４に示すように「給紙コロＣ」である場合には、ステップＳ５では、「給紙コロの種類」が「給紙コロＣ」である調整情報２０ｉ〜２０ｐが選択される。
【００４４】
一方、前記ステップＳ３で選択された調整対象パラメーターが「ＬＥＦＴ」である場合には、前記ステップＳ４において、前記調整対象パラメーターに相関性がある印刷条件として、「搬送ガイドの種類」が抽出されることになる。すると、ステップＳ５では、「搬送ガイドの種類」が前記調整対象装置の生産条件と同一であるような調整情報２０が選択される。例えば、前記調整対象装置の「搬送ガイドの種類」が図４に示すように「搬送ガイドＣ」である場合には、ステップＳ５では、「搬送ガイドの種類」が「搬送ガイドＣ」である調整情報２０ｍ〜２０ｐが選択される。
【００４５】
このように、ステップＳ５において選択される調整情報２０は、前記調整対象装置の生産時の生産条件と、前記調整対象パラメーターとに応じて変化することになる。
【００４６】
＜ステップＳ６＞
ステップＳ６において、制御部１４は、前記ステップＳ５で選択された調整情報２０に基づいて、前記調整対象装置の前記調整対象パラメーターの値を決定する。例えば、制御部１４は、前記ステップＳ５で選択された調整情報２０における前記調整対象パラメーターの値の平均値を、前記調整対象装置の前記調整対象パラメーターの値として決定する。
【００４７】
例えば、前記ステップＳ３で選択された調整対象パラメーターが「ＴＯＰ」であり、前記ステップＳ５において調整情報２０ｉ〜２０ｐが選択された場合には、調整情報２０ｉ〜２０ｐの各々における「ＴＯＰ」の調整パラメーターの値の平均値である「０．８０」が、前記調整対象装置の「ＴＯＰ」の調整パラメーターの値として決定される。
【００４８】
一方、前記ステップＳ３で選択された調整対象パラメーターが「ＬＥＦＴ」であり、前記ステップＳ５において調整情報２０ｉ〜２０ｐが選択された場合には、調整情報２０ｉ〜２０ｐの各々における「ＴＯＰ」の調整パラメーターの値の平均値である「０．７１」が、前記調整対象装置の「ＴＯＰ」の調整パラメーターの値として決定される。
【００４９】
＜ステップＳ７＞
ステップＳ７において、制御部１４は、調整情報２０に含まれている全ての調整パラメーターが前記ステップＳ３において選択されたか否かを判断する。そして、全ての調整パラメーターが選択されたと判断されると（Ｓ７：Ｙｅｓ）、処理がステップＳ８に移行する。一方、まだ選択されていない調整パラメーターが残っていると判断されると（Ｓ７：Ｎｏ）、処理がステップＳ３に戻り、まだ選択されていない調整パラメーターに関して前記ステップＳ４〜Ｓ６の処理が実行される。
【００５０】
＜ステップＳ８＞
ステップＳ８において、制御部１４は、前記ステップＳ６において決定された各調整パラメーターの値を出力する。例えば、制御部１４は、図５に示すような結果表示画面４０を表示部１２に表示する。
【００５１】
なお、前記ステップＳ４の処理は、制御部１４の抽出処理部１４３によって実行される。前記ステップＳ５の処理（本発明の「選択ステップ」の一例）は、制御部１４の選択処理部１４１によって実行される。前記ステップＳ６の処理（本発明の「決定ステップ」の一例）は、制御部１４の決定処理部１４２によって実行される。
【００５２】
ユーザーは、結果表示画面４０に表示された各調整パラメーターの値を参考にして、前記調整対象装置の調整作業を行うことができる。例えば、ユーザーは、結果表示画面４０に表示された各調整パラメーターの値を前記調整対象装置に設定した状態で、前記調整対象装置の品質を検査する。
【００５３】
前記ステップＳ６で決定される値は、調整対象パラメーターと相関性がある生産条件に基づいて選択された調整情報２０に基づく値である。よって、前記ステップＳ６で決定される値は、過去に調整された複数の画像処理装置の調整パラメーターの値（例えば、全ての調整情報２０ａ〜２０ｐにおける調整パラメーターの値）を単に平均化したものよりも精度が高い。よって、結果表示画面４０に表示された各調整パラメーターの値を前記調整対象装置に設定することで、調整作業の作業効率を高めることができる。
【００５４】
また、例えば、前記調整対象装置の生産時の生産条件と全く同じ生産条件である調整情報２０だけを選択した場合には、選択される調整情報２０の個数が少なくなってしまい、サンプル数が少なくなってしまう。例えば、前記調整対象装置の生産時の生産条件が図４に示す生産条件である場合には、当該生産条件と全く同じ生産条件である調整情報２０は、図２における調整情報２０ｍ〜２０ｐである。これらの調整情報２０ｍ〜２０ｐにおける「ＴＯＰ」の調整パラメーターの値の平均値は「０．８０５」である。これに対して、本実施形態では、調整情報２０ｉ〜２０ｐに基づいて「ＴＯＰ」の調整パラメーターの値が計算されるので、サンプル数がより多くなり、より精度が高い値が得られる。
【００５５】
なお、場合によっては、前記ステップＳ５において調整情報２０が１つも選択されないことがあり得る。例えば、前記調整対象パラメーターが「ＴＯＰ」であり、前記調整対象装置の生産時の「給紙コロの種類」が「給紙コロＤ」である場合には、「給紙コロの種類」が「給紙コロＤ」であるような調整情報２０がまだ存在しないため、前記ステップＳ５において調整情報２０が１つも選択されない。このような場合には、制御部１４は、例えば、全ての調整情報２０（もしくは、任意の一部の調整情報２０）に基づいて、「ＴＯＰ」の調整パラメーターの値を決定してもよい。もしくは、制御部１４は、「ＴＯＰ」の調整パラメーターの値を決定することが不可能である旨を結果表示画面４０に表示してもよい。
【００５６】
なお、本実施形態では、調整情報２０に含まれる調整パラメーターの個数が２つであるが、本発明はこれに限定されない。例えば、調整情報２０に含まれる調整パラメーターの個数が１つであってもよいし、３つ以上であってもよい。
【００５７】
また、本実施形態では、調整情報２０に含まれる生産条件の個数が２つであるが、本発明はこれに限定されない。例えば、調整情報２０に含まれる生産条件の個数が１つであってもよいし、３つ以上であってもよい。
【００５８】
また、本実施形態では、調整情報２０に含まれる生産条件が部品の種類である場合について説明したが、本発明はこれに限定されない。例えば、材料、用紙の品質、調整実施場所の温湿度など、調整パラメーターと相関性がある可能性がある任意の生産条件が調整情報２０に含まれていてもよい。
【００５９】
例えば、図７に示すように、「給紙コロの径」という生産条件が調整情報２０に含まれていてもよい。そして、例えば、前記調整対象パラメーターが「ＴＯＰ」であり、調整対象装置の「給紙コロの径」が「１．５８」である場合には、これに近い生産条件を有する調整情報２０（すなわち、「給紙コロの径」が「１．６０」である調整情報２０ｉ〜２０ｐ）が選択されてもよい。すなわち、選択処理部１４１は、抽出処理部１４３によって抽出された生産条件が、前記調整対象装置の生産時の生産条件との差異が予め設定された範囲内である調整情報２０を選択してもよい。
【００６０】
また、本実施形態では、前記ステップＳ６で決定された値が、図５に示すような結果表示画面４０に表示されるが、本発明はこれに限定されない。他の実施形態では、前記ステップＳ６で決定された値が、図示しない通信Ｉ／Ｆ等を通じて前記調整対象装置に送信されてもよい。そして、前記ステップＳ６で決定された値が前記調整対象装置に自動的に設定されてもよい。
【符号の説明】
【００６１】
１  情報処理装置
２０，２０ａ〜２０ｐ  調整情報
３０  入力画面
３１  入力欄
３２  入力欄
３３  ボタン
４０  結果表示画面
５０  学習情報
【図１】
2018036826.tif 000003
【図２】
2018036826.tif 000004
【図３】
2018036826.tif 000005
【図４】
2018036826.tif 000006
【図５】
2018036826.tif 000007
【図６】
2018036826.tif 000008
【図７】
2018036826.tif 000009